(57)【要約】【課題】ミラーリング表示される映像の視認性等を向上させることが容易となる映像表示機器を提供する。【解決手段】映像を表示する表示部と、前記表示部の表示領域において選択された所定領域の映像データを得る映像データ取得部と、映像表示部を有する外部機器との間で通信する通信部と、を有し、前記通信部は、前記映像表示部の画面サイズ情報を取得し、前記映像データ取得部は、前記画面サイズ情報に基づき前記映像データの表示サイズを変更する映像表示機器とする。【選択図】図７
2015018077.tif 000002
【特許請求の範囲】
【請求項１】
映像を表示する表示部と、
前記表示部の表示領域において選択された所定領域の映像データを得る映像データ取得部と、
映像表示部を有する外部機器との間で通信する通信部と、を有し、
前記通信部は、
前記映像表示部の画面サイズ情報を取得し、
前記映像データ取得部は、
前記画面サイズ情報に基づき前記映像データの表示サイズを変更することを特徴とする映像表示機器。
【請求項２】
前記映像データ取得部は、
前記選択された領域に表示される映像の表示サイズを前記サイズ情報に基づいて変更させて、前記映像データを得ることを特徴とする請求項１に記載の映像表示機器。
【請求項３】
前記映像データが格納される領域が、前記サイズ情報に基づいて設定され、
前記領域に格納されたフレームを、前記外部機器に送信することを特徴とする請求項２に記載の映像表示機器。
【請求項４】
前記表示部の表示領域には、複数の選択候補領域が設定されており、
前記映像データ取得部は、
前記複数の選択候補領域のうちの何れかの選択を受付けることを特徴とする請求項１から請求項３の何れかに記載の映像表示機器。
【請求項５】
前記複数の選択候補領域のうち、前記外部機器が所定の範囲に入ったものが識別され、
前記映像データ取得部は、
前記識別された選択候補領域を、前記選択された領域とすることを特徴とする請求項４に記載の映像表示機器。
【請求項６】
前記映像データ取得部は、
前記画面において特定の向きに略最大表示される表示サイズの前記映像データを得ることを特徴とする請求項１から請求項５の何れかに記載の映像表示機器。
【請求項７】
前記外部機器が縦向きと横向きの何れであるかを表す情報を、前記外部機器から受信し、
該受信した情報に基づいて縦か横の表示形態を選んで、前記外部機器に前記映像データの映像を表示させることを特徴とする請求項６に記載の映像表示機器。
【請求項８】
前記画面に表示される前記映像データの映像を変更する操作の情報を、前記外部機器から受信し、
前記映像データに該変更の内容を反映させることを特徴とする請求項１から請求項７の何れかに記載の映像表示機器。
【請求項９】
外部の機器から映像データを受信する受信部と、
映像を表示する画面と、
前記映像データの表示サイズを前記画面のサイズに応じて変更させて、前記映像データの映像を前記画面に表示させる映像表示部と、
を備えたことを特徴とする映像表示機器。
【請求項１０】
映像を表示する表示部、および、画面を有する外部機器との間で通信する通信部、を有した映像表示機器が行うデータ取得方法であって、
前記外部機器から前記画面のサイズ情報を取得する第１処理と、
前記表示部の表示領域中における所定領域の選択を受付ける第２処理と、
前記選択された領域の映像データとして、前記サイズ情報に応じた表示サイズの前記映像データを得る第３処理と、
を含むことを特徴とするデータ取得方法。
【請求項１１】
前記第３処理は、
前記選択された領域に表示される映像の表示サイズを前記サイズ情報に基づいて変更させて、前記映像データを得る処理であることを特徴とする請求項１０に記載のデータ取得方法。
【発明の詳細な説明】
【技術分野】
【０００１】
本発明は、映像を表示する映像表示機器、およびデータ取得方法に関する。
【背景技術】
【０００２】
従来、テレビ放送受信機やパーソナルコンピュータのように、映像を表示させる映像表示機器が広く利用されている。また近年では、タブレット型情報端末やスマートフォン等が、映像表示機器の周辺機器として利用されることも多い。
【０００３】
映像表示機器とその周辺機器は、双方間の通信が可能であるように構成され、互いに連携した動作を行うための機能が設けられる。特に映像表示に関しては、双方の機器において同じ内容を表示する機能（ミラーリング表示の機能）が設けられることがある。このミラーリング表示は、映像を表示する映像表示機器がその映像のデータを周辺機器へ送信し、周辺機器がこのデータを用いて映像を表示することにより実現される。
【先行技術文献】
【特許文献】
【０００４】
【特許文献１】特開２０１２−１６４３１９号公報
【発明の概要】
【発明が解決しようとする課題】
【０００５】
ところで周辺機器は、例えば持ち運びに便利であるように、比較的小型の仕様であることが多い。このような事情から、周辺機器の画面のサイズは、映像表示機器の画面のサイズに比べて小さいことが多い。
【０００６】
そのため、映像表示機器の画面（大画面）での表示を前提とした元の映像全体が周辺機器の画面（小画面）にミラーリング表示されると、ミラーリング表示される映像の視認性が損なわれてしまう虞がある。なお周辺機器の画面のサイズに関わらず、ミラーリング表示される映像サイズをその画面のサイズに適合させれば、視認性の向上を実現させることが出来る。
【０００７】
本発明は上述した問題に鑑み、ミラーリング表示される映像等の視認性を向上させることが容易となる映像表示機器、およびデータ取得方法の提供を目的とする。
【課題を解決するための手段】
【０００８】
本発明に係る映像表示機器は、映像を表示する表示部と、前記表示部の表示領域において選択された所定領域の映像データを得る映像データ取得部と、映像表示部を有する外部機器との間で通信する通信部と、を有し、前記通信部は、前記映像表示部の画面サイズ情報を取得し、前記映像データ取得部は、前記画面サイズ情報に基づき前記映像データの表示サイズを変更する構成とする。本構成によれば、ミラーリング表示される映像等の視認性を向上させることが容易となる。
【０００９】
また上記構成としてより具体的には、前記映像データ取得部は、前記選択された領域に表示される映像の表示サイズを前記サイズ情報に基づいて変更させて、前記映像データを得る構成としてもよい。本構成によれば、選択された領域に表示される映像のサイズが目標とするサイズとは異なっていても、映像データの表示サイズを適切に設定することが可能となる。
【００１０】
また上記構成としてより具体的には、前記映像データが格納される領域が、前記サイズ情報に基づいて設定され、前記領域に格納されたフレームを、前記外部機器に送信する構成としてもよい。
【００１１】
また上記構成としてより具体的には、前記表示部の表示領域には、複数の選択候補領域が設定されており、前記映像データ取得部は、前記複数の選択候補領域のうちの何れかの選択を受付ける構成としてもよい。本構成によれば、所望の領域を選択することが容易となる。
【００１２】
また上記構成としてより具体的には、前記複数の選択候補領域のうち、前記外部機器が所定の範囲に入ったものが識別され、前記映像データ取得部は、前記識別された選択候補領域を、前記選択された領域とする構成としてもよい。本構成によれば、例えば外部機器を所望の選択候補領域へ近づけることにより、所望の領域を選択することが可能となる。
【００１３】
また上記構成としてより具体的には、前記映像データ取得部は、前記画面において特定の向きに略最大表示される表示サイズの前記映像データを得る構成としてもよい。本構成によれば、ミラーリング表示される映像等の視認性を、出来るだけ良好なものとすることが可能となる。
【００１４】
また上記構成において、前記外部機器が縦向きと横向きの何れであるかを表す情報を、前記外部機器から受信し、該受信した情報に基づいて縦か横の表示形態を選んで、前記外部機器に前記映像データの映像を表示させる構成としてもよい。
【００１５】
本構成によれば、周辺機器が縦向きと横向きの何れで使用される場合にも、ミラーリング表示される映像等の視認性を、出来るだけ良好なものとすることが可能となる。
【００１６】
また上記構成において、前記画面に表示される前記映像データの映像を変更する操作の情報を、前記外部機器から受信し、前記映像データに該変更の内容を反映させる構成としてもよい。本構成によれば、利便性を更に向上させることが可能となる。
【００１７】
また本発明に係る他の形態の映像表示機器は、外部の機器から映像データを受信する受信部と、映像を表示する画面と、前記映像データの表示サイズを前記画面のサイズに応じて変更させて、前記映像データを前記画面に表示させる映像表示部と、を備えた構成とする。本構成によれば、ミラーリング表示される映像等の視認性を向上させることが容易となる。
【００１８】
また本発明に係るデータ取得方法は、映像を表示する表示部、および、画面を有する外部機器との間で通信する通信部、を有した映像表示機器が行うデータ取得方法であって、前記外部機器から前記画面のサイズ情報を取得する第１処理と、前記表示部の表示領域中における所定領域の選択を受付ける第２処理と、前記選択された領域の映像データとして、前記サイズ情報に応じた表示サイズの前記映像データを得る第３処理と、を含む方法とする。本方法によれば、ミラーリング表示される映像等の視認性を向上させることが容易となる。
【００１９】
また上記方法としてより具体的には、前記第３処理は、前記選択された領域に表示される映像の表示サイズを前記サイズ情報に基づいて変更させて、前記映像データを得る処理である方法としてもよい。本方法によれば、選択された領域に表示される映像のサイズが目標とするサイズとは異なっていても、映像データの表示サイズをに適切に設定することが可能となる。
【発明の効果】
【００２０】
本発明に係る映像表示機器およびデータ取得方法によれば、ミラーリング表示される映像の視認性等を向上させることが容易となる。
【図面の簡単な説明】
【００２１】
【図１】第１実施形態に係る映像表示システムのブロック図である。
【図２】映像処理部の周辺に関するより詳細なブロック図である
【図３】第１実施形態に係る映像表示機器の外観図である。
【図４】第１実施形態に係る周辺機器の外観図である。
【図５】選択候補領域を選択指定する操作に関する説明図である。
【図６】ミラーリング表示のための動作に関するフローチャートである。
【図７】ミラーリング表示のための動作に関する説明図である。
【図８】周辺機器の使用状態に関する説明図である。
【図９】周辺機器の映像表示の向きに関する説明図である。
【図１０】第２実施形態に係る映像表示機器の外観図である。
【図１１】第２実施形態に係る周辺機器の外観図である。
【図１２】第２実施形態に係る注視領域の指定に関する説明図である。
【発明を実施するための形態】
【００２２】
本発明の実施形態について、第１実施形態および第２実施形態を例に挙げ、図面を参照しながら以下に説明する。
【００２３】
１．第１実施形態
［映像表示システムの構成等］
まず第１実施形態について説明する。図１は、本実施形態に係る映像表示システム９の構成に関するブロック図である。本図に示すように映像表示システム９は、映像表示機器１および周辺機器２を有している。
【００２４】
映像表示機器１と周辺機器２は互いに独立した機器であり、それぞれ単独で利用することが可能である。そして更に映像表示機器１と周辺機器２は、互いに通信可能な状態となることにより、連携した動作を行うことも可能である。この連携した動作には、例えばWi-Fi Miracastによる、ミラーリング表示のための動作が含まれる。ミラーリング表示のための動作の詳細については、以下の説明により明らかとなる。
【００２５】
映像表示機器１は、デコーダ１１、ビデオメモリ１２、映像表示部１３、映像処理部１４、エンコーダ１５、通信部１６、操作受付部１７、およびメイン制御部１８を備えている。映像表示機器１には、外部から映像信号（例えばテレビ放送信号のように、映像のデータを含む信号）が入力されるようになっている。
【００２６】
デコーダ１１は、外部から入力される映像信号に対して復号化処理を施し、当該信号に含まれる映像のデータ（以下、便宜的に「元映像データ」と称することがある）をビデオメモリ１２へ送出する。
【００２７】
ビデオメモリ１２には、デコーダ１１から受ける元映像データのフレームが逐次格納される。ビデオメモリ１２に格納されるフレームは、デコーダ１１から元映像データが送られることに応じ、逐次最新のものに更新される。
【００２８】
映像表示部１３は、第１画面（ディスプレイ）１３ａを有しており、ビデオメモリ１２に格納されているフレームを第１画面１３ａに表示させる。第１画面１３ａの表示領域のサイズは、例えば横1024×縦768画素のサイズである。ビデオメモリ１２に格納されているフレームは、第１画面１３ａの表示領域の全体に表示される。すなわち元映像データの映像は、第１画面１３ａの表示領域の全体に表示される。
【００２９】
映像処理部１４は、元映像データに対して所定の処理を施して、周辺機器２へ送信するための映像データＤiを生成する役割を果たす。図２は、映像処理部１４の周辺に関するより詳細なブロック図である。本図に示すように映像処理部１４は、クリッピング部１４ａ、スケーリング部１４ｂ、および仮想領域設定部１４ｃを有する。
【００３０】
クリッピング部１４ａは、ビデオメモリ１２に格納された元映像データのフレームが入力される。そしてクリッピング部１４ａは、入力されたフレームに対するクリッピング（一部分だけを切り抜く動作）を実行し、クリッピングしたフレームをスケーリング部１４ｂへ送出する。なおクリッピング部１４ａは、メイン制御部１８からクリッピング部分情報Ｉc（クリッピングすべき部分を示す情報であり、詳しくは後述する）を受け、クリッピング部分情報Ｉcに示される部分をクリッピングする。
【００３１】
スケーリング部１４ｂは、クリッピング部１４ａから入力されるフレームを、仮想領域ＩＲのサイズと合うようにスケーリング処理を施した上で、仮想領域ＩＲへ送出する。なおスケーリング処理は、横方向のサイズ（画素数）と縦方向のサイズ（画素数）の比を固定したまま、フレームのサイズを変える（拡大または縮小する）処理であっても良く、当該比が変化するように、フレームのサイズを変える処理であっても良い。クリッピング部１４ａから入力されるフレームと仮想領域ＩＲの関係において、横方向のサイズと縦方向のサイズの比が異なる場合には、スケーリング処理は、当該比が変化するようにフレームのサイズを変える処理となる。
【００３２】
例えば、仮想領域ＩＲのサイズが600×450画素である場合、スケーリング部１４ｂに入力されるフレームは600×450画素のサイズにスケーリングされる。なお、クリッピング部１４ａから出力されるフレームのサイズが、仮想領域ＩＲのサイズと合うように予め決められる場合には、スケーリング処理は不要であるため、スケーリング部１４ｂを設けないようにしても良い。
【００３３】
仮想領域ＩＲは、周辺機器２側の映像表示領域を仮想して設定される領域であり、実体的には、映像表示機器１に設けられたメモリの一部（仮想領域用メモリ）である。仮想領域用メモリは、ビデオメモリ１２と共通であっても良く、別に用意されたメモリであっても良い。
【００３４】
仮想領域ＩＲには、スケーリング部１４ｂから受けるフレームが逐次格納される。仮想領域ＩＲに格納されるフレームは、スケーリング部１４ｂから継続的にフレームが送られることに応じ、逐次最新のものに更新される。
【００３５】
仮想領域設定部１４ｃは、サイズ情報Ｉs（詳しくは後述する）を受けるようになっており、サイズ情報Ｉsに応じたサイズの仮想領域ＩＲを設定する。また仮想領域設定部１４ｃは、仮想領域ＩＲのサイズの情報をスケーリング部１４ｂへ送出し、仮想領域ＩＲのサイズに合わせるスケーリング処理が適切に行われるようにする。
【００３６】
仮想領域ＩＲに逐次格納されるフレームは、映像データＤiのフレームとして、後段のエンコーダ１５に逐次送出される。このように映像処理部１４は、映像データＤiを生成してエンコーダ１５へ送出するようになっている。
【００３７】
図１に戻り、エンコーダ１５は、映像処理部１４から受取った映像データＤiに対して符号化処理を施し、通信部１６へ送出する。通信部１６は、他機との通信を実行する機能を有し、周辺機器２に接続されているときは、周辺機器２との通信を実行する。例えば通信部１６は、エンコーダ１５から映像データＤiを受取ったときには、この映像データＤiを周辺機器２へ送信する。なお通信部１６が行う通信の形態は、無線通信と有線通信の何れであっても良い。
【００３８】
操作受付部１７は、例えばリモートコントローラおよび第１画面１３ａに設けられたタッチパネルであり、ユーザの操作を受付ける機能を有する。操作受付部１７によって受付けられた操作の内容を示す情報は、メイン制御部１８へ送出される。
【００３９】
メイン制御部１８は、映像表示機器１が適切に動作するように、映像表示機器１の各部を制御する。なお映像表示機器１が行う主な動作については、改めて説明する。
【００４０】
また周辺機器２は、通信部２１、デコーダ２２、映像表示部２３、操作受付部２４、およびメイン制御部２５を備えている。
【００４１】
通信部２１は、他機との通信を実行する機能を有し、映像表示機器１に接続されているときは、映像表示機器１との通信を実行する。通信部２１は、映像表示機器１から映像データＤiが送信されたときには、この映像データＤiを受信する。
【００４２】
デコーダ２２は、通信部２１が受信した映像データＤiに対して復号化処理を施し、映像表示部２３へ送出する。映像表示部２３は、第２画面（ディスプレイ）２３ａを有しており、デコーダ２２から受ける映像データＤiの映像を第２画面２３ａに表示させる。
【００４３】
操作受付部２４は、例えば第２画面２３ａに設けられたタッチパネルであり、ユーザの操作を受付ける機能を有する。操作受付部２４によって受付けられた操作の内容を示す情報は、メイン制御部２５へ送出される。メイン制御部２５は、周辺機器２が適切に動作するように、周辺機器２の各部を制御する。
【００４４】
図３は映像表示機器１の外観図である。図３に示すように第１画面１３ａは矩形状の表示領域を有しており、当該表示領域には、小分けされた複数の矩形状の選択候補領域（Ｒa1〜Ｒa4、以下「選択候補領域Ｒa」と総称することがある）が設定されている。なお図３に示す選択候補領域Ｒaの形態は一例であり、その個数、形状、および位置などは特に限定されない。また選択候補領域Ｒaの個数、形状、および位置などについては、ユーザが任意に決めることが可能となっていても良い。
【００４５】
図４は周辺機器２の外観図である。図４に示すように第２画面２３ａは矩形状の表示領域を有している。なお第２画面２３ａの表示領域は、縦方向のサイズ（画素数）が横方向のサイズ（画素数）よりも大きくなっている。また周辺機器２（メイン制御部２５）は、第２画面２３ａの表示領域のサイズを表すサイズ情報Ｉsを所有している。
【００４６】
［注視領域の指定］
映像表示機器１（操作受付部１７）は、ユーザによる選択候補領域Ｒaの何れかを選択指定する操作を、随時受付けるようになっている。これによりユーザは、第１画面１３ａに表示される映像の中に周辺機器２へミラーリング表示させたい部分があるときには、その部分を含む選択候補領域Ｒaを選択指定するように操作することが可能である。
【００４７】
当該操作がなされた場合、メイン制御部１８は、指定された選択候補領域を注視領域（周辺機器２へミラーリング表示させる領域）とみなす。メイン制御部１８は、元映像データの映像のうちの注視領域に表示される部分を認識し、この認識した部分を示す情報をクリッピング部分情報Ｉcとして生成する。
【００４８】
これによりクリッピング部１４ａは、元映像データの各フレームのうち、注視領域に表示される部分をクリッピングすることになる。その結果、元映像データの映像のうちの注視領域に表示される部分のみが仮想領域ＩＲに格納され、周辺機器２にミラーリング表示されることになる。
【００４９】
なお当該選択指定の操作の具体的形態としては、種々の形態が採用され得る。一例としては図５に示すように、所望の選択候補領域（図５に示す例では、選択候補領域Ｒa3）を、仮想領域ＩＲに見立てた位置（図５に示す例では、選択候補領域Ｒa2より右の位置）へドラッグアンドドロップする形態の操作が採用され得る。
【００５０】
この場合、仮想領域ＩＲに見立てた位置へドラッグアンドドロップされた選択候補領域Ｒaが、ユーザにより指定されたとみなされる。またこの形態の操作によれば、ユーザは、ミラーリング表示させたい映像の部分を、仮想領域ＩＲに見立てた位置へ置くようなイメージで、注視領域を指定することが可能である。
【００５１】
また選択候補領域Ｒaのサイズは、仮想領域ＩＲのサイズと同じであるように決められていても良い。この場合には、注視領域のサイズは仮想領域ＩＲのサイズと同じになるため、基本的に、先述したスケーリング処理を不要とすることが可能となる。
【００５２】
また映像表示機器１は上述した形態の他、ユーザの操作によって、第１画面１３ａの表示領域における任意の位置に、任意のサイズである矩形状の枠が指定されるようになっていても良い。またこの矩形状の枠のサイズは、仮想領域ＩＲのサイズと同じであるように決められていても良い。
【００５３】
これによりユーザは、第１画面１３ａに表示される映像の中に周辺機器２へミラーリング表示させたい部分があるときには、その部分が含まれるように枠を指定することが可能である。この場合に映像表示機器１は、指定された枠の内側の領域を注視領域とみなすようにする。
【００５４】
［ミラーリング表示の動作］
次に、映像表示機器１に表示されている映像を周辺機器２へミラーリング表示させるための一連の動作について、図６に示すフローチャートを参照しながら以下に説明する。
【００５５】
ユーザは映像表示機器１と周辺機器２に、互いに通信可能な状態とするための接続処理を行わせることが可能である（ステップＳ１１、ステップＳ２１）。周辺機器２は、接続処理によって映像表示機器１へ接続されると（ステップＳ２１のＹ）、映像表示機器１へサイズ情報Ｉｓを送信する（ステップＳ２２）。映像表示機器１は、周辺機器２からサイズ情報Ｉｓを受信することにより、サイズ情報Ｉｓを取得することができる。
【００５６】
一方で映像表示機器１は、接続処理によって周辺機器２へ接続されると（ステップＳ１１のＹ）、注視領域の指定の有無を判別する（ステップＳ１２）。未だ注視領域の指定が無い場合には（ステップＳ１２のＮ）、当該指定を待機する。注視領域の指定が有る場合には（ステップＳ１２のＹ）、映像表示機器１（仮想領域設定部１４ｃ）は、サイズ情報Ｉｓ等に基づいて仮想領域ＩＲを設定する（ステップＳ１３）。
【００５７】
より具体的に説明すると、仮想領域設定部１４ｃは、映像データＤiの映像が第２画面２３ａにおいて縦向きに最大表示（過不足なく表示）される場合の映像のサイズを算出する。なお算出される映像のサイズは、注視領域の映像を基準として、横方向のサイズ（画素数）と縦方向のサイズ（画素数）の比を固定したサイズとしても良く、当該比を変化させたサイズとしても良い。また当該比を変化させたサイズとする例では、この変化の度合はユーザが任意に設定可能であっても良く、例えば映像データＤiの映像が第２画面２３ａの表示領域一杯に表示されるサイズとなるように、自動的に設定されても良い。仮想領域設定部１４ｃは、このようにして算出したサイズの仮想領域ＩＲを設定する。
【００５８】
また当該比を固定したサイズとする例では、映像データＤiの映像は基本的に注視領域の映像と相似の関係になり、注視領域の映像を出来るだけ変形させずに第２画面２３ａへ表示させることが可能となる。なおこの例では、例えば、第２画面２３ａの表示領域が横600×縦800画素のサイズである場合に、注視領域の映像における横方向のサイズ（画素数）と縦方向のサイズ（画素数）の比が４：３であるとき、横600×縦450画素のサイズの仮想領域ＩＲが設定される。
【００５９】
なおこのように仮想領域ＩＲが設定されると、スケーリング処理部１４ｂは、第２画面２３ａにおいて縦向きに最大表示されるサイズとなるように、入力されるフレームにスケーリング処理を施すことになる。なおここでの「最大表示」は、厳密な意味での最大表示の他、これに準じた表示（例えば、表示領域の外縁に所定幅の余白を設けた表示）も含む概念である。
【００６０】
仮想領域ＩＲの設定後、映像表示機器１は、周辺機器２への映像データＤiの生成と送信を行う（ステップＳ１４）。映像データＤiの送信は、例えば送信停止の指示がなされたり、外部からの映像信号の入力が途絶えたりするまで継続される。
【００６１】
一方で周辺機器２は、サイズ情報Ｉsを送信した後、映像表示機器１からの映像データＤiの受信を待機する（ステップＳ２３）。なお当該待機中においては（ステップＳ２３のＮ）、周辺機器２は通常時の内容（周辺機器２が単独で利用される場合の内容）を表示する（ステップＳ２４）。
【００６２】
このとき周辺機器２は、通常の操作等が可能な状態となる。そのため当該待機中においても、ユーザは周辺機器２を普段通りに使用することが可能である。これにより、周辺機器２の使用が阻害されることによる利便性の低下は回避される。
【００６３】
また映像データＤiを受信した場合には（ステップＳ２３のＹ）、周辺機器２は受信した映像データＤiの映像を、第２画面へ縦向きに表示させる（ステップＳ２４）。これにより、映像表示機器１における注視領域に表示される部分の映像が、周辺機器２にミラーリング表示されることになる。
【００６４】
なお映像データＤiの映像は、第２画面２３ａにおいて縦向きに最大表示されるサイズとなるように、映像表示機器１側で予め調節されている。そのため周辺機器２は、受信した映像データＤiにスケーリング処理等を施すことなく、その映像を第２画面２３ａへ最大表示させることが可能である。すなわち周辺機器２はスケーリング処理等を施すことなく、縦向きで使用される際に視認性が良好となる形態で、映像データＤiの映像を表示させることが可能である。
【００６５】
上述した一連の動作をより理解容易とするため、図７に、当該動作の概略を模式的に示す。図７に示すように、第１画面１３ａの注視領域に表示される映像は、適宜スケーリングされて仮想領域ＩＲに格納される。そして仮想領域ＩＲに格納された映像は、第２画面２３ａに表示される。また第２画面２３ａにおける当該映像の表示領域のサイズは、仮想領域ＩＲのサイズと同じである。
【００６６】
［周辺機器の向きに対応した動作］
上述したように周辺機器２は、縦向きで使用される際に視認性が良好となる形態で、映像データＤiの映像を表示させることが可能である。ただし周辺機器２が主に横向きで使用される場合、横向きの周辺機器２に適応するように映像データＤiが生成されるようにしても良い。
【００６７】
この場合に仮想領域設定部１４ｃは、映像データＤiの映像が第２画面２３ａにおいて横向きに最大表示される場合の映像のサイズを算出し、当該算出されたサイズの仮想領域ＩＲを設定する。また周辺機器２は、スケーリング処理等を施すことなく、受信した映像データＤiの映像を第２画面２３ａへ横向きに表示させる。これにより周辺機器２は、横向きで使用される際に視認性が良好となる形態で、映像データＤiの映像を表示させることが可能となる。
【００６８】
また図８に示すように、周辺機器２が縦向きと横向きの何れの状態でも使用され得る場合、周辺機器２の向きに応じて映像データＤiが生成されるようにしても良い。
【００６９】
例えば周辺機器２は、自機が縦向きと横向きの何れであるかを認識する機能（例えば、重力の向きを検出して当該認識を行う機能）が設けられる。そして周辺機器２は、自機が縦向きと横向きの何れであるかを表す情報を、映像表示機器１へ送信するように構成される。
【００７０】
仮想領域設定部１４ｃは、周辺機器２から受信する当該情報に応じて、仮想領域ＩＲを設定する。より具体的に説明すると仮想領域設定部１４ｃは、周辺機器２が縦向きのときには、映像データＤiの映像が第２画面２３ａにおいて縦向きに最大表示される場合の映像のサイズを算出し、当該算出されたサイズの仮想領域ＩＲを設定する。一方で仮想領域設定部１４ｃは、周辺機器２が横向きのときには、映像データＤiの映像が第２画面２３ａにおいて横向きに最大表示される場合の映像のサイズを算出し、当該算出されたサイズの仮想領域ＩＲを設定する。
【００７１】
すなわち映像表示機器１は、映像データＤiの表示サイズを、周辺機器２が縦向きのときには、第２画面２３ａにおいて縦向きに最大表示されるサイズに設定し、周辺機器２が横向きのときには、第２画面２３ａにおいて横向きに最大表示されるサイズに設定する。また周辺機器２は、自機が縦向きのときには、受信する映像データＤiの映像を第２画面２３ａへ縦向きに表示させ、自機が横向きのときには、受信する映像データＤiの映像を第２画面２３ａへ横向きに表示させる。
【００７２】
このようにすれば図９に示す通り、周辺機器２が縦向きと横向きの何れで使用される際にも、視認性が良好となる形態で（最大表示される形態で）、第２画面２３ａに映像データＤiの映像を表示させることが可能となる。なお映像表示機器１は、上述した周辺機器２から受信する情報（周辺機器２が縦向きと横向きの何れであるかを表す情報）に基づいて縦が横の表示形態を選んで、周辺機器２に映像データＤiの映像を表示させるようにしても良い。すなわち映像表示機器１は、周辺機器２が縦向きのときには縦の表示形態で当該映像を表示させ、周辺機器２が横向きのときには横の表示形態で当該映像を表示させるようにしても良い。なお縦の表示形態は、周辺機器２が縦向きのときに正しい向きで表示される形態であり、横の表示形態は、周辺機器２が横向きのときに正しい向きで表示される形態である。
【００７３】
［ミラーリングされる映像の変更］
映像表示システム９は、周辺機器２側の操作により、ミラーリングされる映像（第２画面２３ａに表示される映像データＤiの映像）を変更することが可能となっていても良い。
【００７４】
例えば周辺機器２は、ミラーリング表示を行っている際に描画の操作（例えばタッチパネルに指等で描画する操作）がなされると、この操作を変更操作として認識する。なお変更操作は、描画されたものを重畳させるように、第２画面２３ａにミラーリング表示される映像を変更させる操作である。
【００７５】
そして周辺機器２は、当該変更の内容（描画されたものの形や位置など）を表す変更情報を、映像表示機器１に送信する。映像表示機器１は変更情報を受信すると、描画されたものを映像に重畳させるように、元映像データを修正する。
【００７６】
これにより、第１画面１３ａに表示される元映像データの映像に、当該変更が反映される。また元映像データに基づいて生成される映像データＤiの映像にも、当該変更が反映されることになる。すなわち映像に当該変更の内容が反映されるように、映像データＤiが生成されることになる。この映像データＤiは周辺機器２に送信され、その映像が第２画面２３ａに表示される。その結果として、ミラーリングされる映像が変更されることになる。
【００７７】
このように構成された映像表示システム９によれば、ユーザは周辺機器２を操作し、ミラーリングされる映像に所望の変更を加えることが可能である。これにより利便性を更に向上させることが可能である。
【００７８】
２．第２実施形態
次に第２実施形態について説明する。なお第２実施形態は、注視領域の指定に関する点を除き、基本的には第１実施形態と同様である。以下の説明では、第１実施形態と異なる部分の説明に重点をおき、共通する部分については説明を省略することがある。
【００７９】
図１０は、第２実施形態における映像表示機器１の外観図である。図１０に示すように第１画面１３ａの表示領域には、第１実施形態と同様に、小分けされた複数の選択候補領域Ｒaが設定されている。そして更に映像表示機器１には、選択候補領域Ｒaごとに、ＮＦＣ［Near Field Communication］チップ（ＮＣ１〜ＮＣ４、以下「ＮＦＣチップＮＣ」と総称することがある）が設けられている。
【００８０】
ＮＦＣチップＮＣは、他のＮＦＣチップＮＣとの識別を可能とするＩＤ情報を有した識別装置である。ＮＦＣチップＮＣ１は選択候補領域Ｒa1に対応し、ＮＦＣチップＮＣ２は選択候補領域Ｒa2に対応し、ＮＦＣチップＮＣ３は選択候補領域Ｒa3に対応し、ＮＦＣチップＮＣ４は選択候補領域Ｒa4に対応している。各ＮＦＣチップＮＣは、対応する選択候補領域Ｒaの中央付近に取付けられている。映像表示機器１は、各ＮＦＣチップＮＣがどの選択候補領域Ｒaに対応するかを示す情報を有している。
【００８１】
図１１は、第２実施形態における周辺機器２の外観図である。図１１に示すように周辺機器２には、ＮＦＣリーダーＮＲが設けられている。ＮＦＣリーダーＮＲは、所定度合を超えて（例えば、半径数cm以内に）近接したＮＦＣチップＮＣから、ＩＤ情報を読取る機能を有している。ＮＦＣリーダーＮＲが読取ったＩＤ情報は、映像表示機器１へ送信される。
【００８２】
映像表示機器１はＩＤ情報を受信すると、このＩＤ情報によって識別されるＮＦＣチップＮＣを認識し、このＮＦＣチップＮＣに対応した選択候補領域Ｒaを識別する。そして映像表示機器１は、この識別した選択候補領域Ｒaを、ユーザによって注視領域に選択指定された選択候補領域Ｒaとみなす。
【００８３】
第２実施形態の映像表示システム９によれば、映像表示機器１は、周辺機器２が近づけられた選択候補領域Ｒaを注視領域とみなすことになる。そのためユーザは、例えば図１２に示す通り、第１画面１３ａのミラーリング表示させたい映像の部分へ周辺機器２を近づけるようにするだけで、適切に注視領域を指定することが可能である。この例では、図１２に矢印で示すように、選択候補領域Ｒa2に対応したＮＦＣチップＮＣ２とＮＦＣリーダーＮＲが近接し、選択候補領域Ｒa2が注視領域とみなされる。
【００８４】
３．その他
以上に説明した通り各実施形態の映像表示機器１は、映像を表示する表示部（第１画面１３ａ）と、第１画面１３ａの表示領域中における所定領域（選択候補領域Ｒa）の選択を受付け、該選択された領域（注視領域）の映像データＤiを得る映像データ取得部と、第２画面２３ａ（映像表示部）を有する外部機器（周辺機器２）との間で通信する通信部と、を有している。また通信部は、第２画面２３ａのサイズ情報Ｉsを取得し、映像データ取得部は、サイズ情報Ｉsに応じた表示サイズの映像データＤiを得る。すなわち映像データ取得部は、サイズ情報Ｉsに基づき映像データＤiの表示サイズを変更する。
【００８５】
そのため映像表示機器１によれば、ミラーリング表示される映像の視認性を向上させることが容易である。なおここでの映像（画像）としては、基本的には動画が想定されるが、静止画であっても構わない。
【００８６】
また映像データ取得部は、選択された領域に表示される映像の表示サイズをサイズ情報Ｉsに基づいて変更させて、映像データＤiを得る。そのため、選択された領域に表示される映像の表示サイズが目標とするサイズとは異なっていても、映像データＤiの表示サイズを適切に設定することが可能である。
【００８７】
また各実施形態における目標サイズは、第２画面２３ａにおいて特定の向きに略最大表示されるサイズである。すなわち前記映像データ取得部は、第２画面２３ａにおいて特定の向きに略最大表示される表示サイズの映像データＤiを得る。そのためミラーリング表示される映像の視認性を、出来るだけ良好なものとすることが可能である。
【００８８】
なお、選択された領域に表示される映像の表示サイズが目標とするサイズと同じである場合、当該映像の表示サイズを変更させる処理（スケーリング処理）を省略することが可能である。また、選択された領域に表示される映像の表示サイズが目標とするサイズに固定される場合（例えば、各選択候補領域Ｒaが目標サイズに合わせて設定されている場合）には、スケーリング処理を行う機能自体も省略され得る。
【００８９】
また各実施形態では、映像データＤiのフレームが格納される仮想領域ＩＲが、前記サイズ情報に基づいて設定され、仮想領域ＩＲに格納されたフレームを周辺機器２に送信する。なおこのような仮想領域ＩＲが複数個設定され、それぞれの仮想領域ＩＲに、異なる注視領域の映像のフレームが格納されるようにしても良い。この場合、何れの仮想領域ＩＲに格納されたフレームが送信されるかを切替可能としておけば、周辺機器２にミラーリング表示される映像を容易に切替えることが可能となる。
【００９０】
また各実施形態では、表示部の表示領域には、複数の選択候補領域Ｒaが設定されており、映像データ取得部は、複数の選択候補領域のうちの何れかの選択を受付ける。これによりユーザは、所望の選択候補領域Ｒaを選択することが容易となっている。
【００９１】
なお各実施形態では、映像表示機器１側に、第２画面２３ａのサイズに応じた表示サイズの映像データＤiを得るための機能（第２画面２３ａにミラーリング表示される映像の視認性を向上させる機能）が設けられている。但しこれに準じた機能を、周辺機器２側に持たせるようにしても構わない。この場合に周辺機器２（映像表示機器）は、外部の機器（映像表示機器１）から映像データＤiを受信する受信部と、映像を表示する画面（第２画面２３ａ）と、映像データＤiの表示サイズを第２画面２３ａのサイズに応じて変更させて、映像データＤiの映像を第２画面２３ａに表示させる映像表示部と、を備えた構成とされる。このようにすれば、映像表示機器１は一般的なミラーリングの機能（第２画面２３ａに応じたサイズ変更等を行わずに、映像データＤiを周辺機器２へ送信する機能）を有するだけであっても、第２画面２３ａにミラーリング表示される映像の視認性を向上させることが可能である。
【００９２】
また各実施形態の映像表示機器１は、所定のデータ取得方法により、周辺機器２（外部機器）へ送信するための映像データＤiを取得する。このデータ取得方法は、周辺機器２からサイズ情報Ｉsを取得する第１処理と、第１画面１３ａ（表示部）の表示領域中における所定領域（選択候補領域Ｒa）の選択を受付ける第２処理と、選択された領域（注視領域）の映像データとして、サイズ情報Ｉsに応じた表示サイズの映像データＤiを得る第３処理と、を含んでいる。なおこの第３処理は、選択された領域に表示される映像の表示サイズをサイズ情報Ｉsに基づいて変更させて、映像データＤiを得る処理となっている。
【００９３】
また各実施形態の映像表示システム９は、映像表示機器１と、映像表示機器１から受信した映像データＤiの映像を第２画面２３ａに表示させる周辺機器２と、を有する。また周辺機器２は、サイズ情報Ｉsを所有しており、サイズ情報Ｉsを映像表示機器１に送信するようになっている。
【００９４】
これにより映像表示機器１は、ミラーリング表示させる周辺機器２のサイズ情報Ｉsを取得して、その周辺機器２でのミラーリング表示に適応した映像データＤiを生成し、送信することが可能である。なお映像表示機器１がサイズ情報Ｉsを取得する形態としては、周辺機器２から受信する形態の他、例えば、ユーザによるサイズ情報Ｉsの操作入力を受付ける形態等が挙げられる。
【００９５】
また第２実施形態の映像表示システム９においては、複数の選択候補領域Ｒaのうち、周辺機器２が所定度合を超えて近接したものが識別される。換言すれば、複数の選択候補領域Ｒa（それぞれが別の空間的な範囲に対応している）のうち、周辺機器２が所定の範囲（その選択候補領域Ｒaに対応している範囲）に入ったものが識別される。映像データ生成部は、識別された選択候補領域Ｒaを、選択指定された選択候補領域Ｒa（注視領域とみなす選択候補領域Ｒa）とする。そのためユーザは、適切に注視領域を指定することが容易となっている。
【００９６】
また本発明の構成は、上記の各実施形態や変形例のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、各種の映像表示機器などに利用することができる。
【符号の説明】
【００９７】
１      映像表示機器
１１    デコーダ
１２    ビデオメモリ
１３    映像表示部
１３ａ  第１画面
１４    映像処理部
１４ａ  クリッピング部
１４ｂ  スケーリング部
１４ｃ  仮想領域設定部
１５    エンコーダ
１６    通信部
１７    操作受付部
１８    メイン制御部
２      周辺機器（外部機器、映像表示機器）
２１    通信部
２２    デコーダ
２３    映像表示部
２３ａ  第２画面
２４    操作受付部
２５    メイン制御部
９      映像表示システム
ＩＲ    仮想領域
Ｒa1〜Ｒa4、Ｒa       選択候補領域
ＮＣ１〜ＮＣ４、ＮＣ  ＮＦＣチップ
ＮＲ                  ＮＦＣリーダー
【図１】
2015018077.tif 000003
【図２】
2015018077.tif 000004
【図３】
2015018077.tif 000005
【図４】
2015018077.tif 000006
【図５】
2015018077.tif 000007
【図６】
2015018077.tif 000008
【図７】
2015018077.tif 000009
【図８】
2015018077.tif 000010
【図９】
2015018077.tif 000011
【図１０】
2015018077.tif 000012
【図１１】
2015018077.tif 000013
【図１２】
2015018077.tif 000014